(57)【要約】【課題】大型フォーマットの原稿シートを手でスキャンするためのより良い支持体を操作者に提供する。【解決手段】本発明は、スキャンされる大型フォーマットの原稿シート一式を保持する引出部が設けられた大型フォーマット用の移送式スキャナに関する。引出部はスキャナの差込口の直ぐ下に位置付けられている。大型フォーマットの原稿一式を引出部に配置した後は、大型フォーマットの原稿一式の全てを１枚ずつ手でスキャンする作業が格段にし易くなる。【選択図】図１
2008236746.tif 000002
【特許請求の範囲】
【請求項１】
スキャンするためにその都度１シートずつ手で挿入するように原稿シート一式を保持するための、移送式スキャンシステムにおける原稿シートホルダーであって、ホルダー上の原稿シートの前縁部がスキャナの差込口と平行でこの直近にあるように、また操作者に直接アクセス可能であるように位置決めされている、原稿シートホルダー。
【請求項２】
ホルダーが水平面で滑動可能な引出部である、請求項１に記載の原稿シートホルダー。
【請求項３】
原稿シートホルダーがスキャナの差込口の下に位置決めされている、請求項１または２に記載の原稿シートホルダー。
【請求項４】
ホルダーが移動台の上面であり、台が、台をスキャナの下に精確に位置決めするための、スキャナ側の案内機構と協働する案内機構を備える、請求項１に記載の原稿シートホルダー。
【発明の詳細な説明】
【技術分野】
【０００１】
本発明は、移送式スキャンシステムにおける、その都度１シートずつ手で挿入してスキャンするための原稿シート一式を保持するための原稿シートホルダーに関する。
【背景技術】
【０００２】
通し送り式スキャナとも呼ばれている移送式スキャナは、原稿が移送路に沿ってスキャン装置を通して移送されるタイプ、即ち入力口を通過し、さらに感光性アレイに沿って通過してゆくタイプのスキャナである。この感光性アレイは、スキャン装置内に固定して、原稿の移送方向に対して横断方向に取り付けられている。これは、例えば原稿がプラテン上に固定して位置決めされ、感光性アレイがプラテンに対して移動してゆく平床式スキャナとは対照的である。
【０００３】
移送式スキャナは、大型フォーマットの原稿をスキャンするのにとても適している。特に、以下に限定するわけではないが、原稿はＡ０またはＡ１フォーマットなどの大きなサイズを有する場合があり、半無限ロールの形態のように一方向に伸び出る場合もある。この大型フォーマットは一次元でしか収容しなくてもよいので、装置の大きさは小さなままである。他の次元についての制限はない。他方で、原稿シートが極めて小さな寸法を有する場合もあるが、これも収容することができる。
【０００４】
感光性アレイの位置によって、スキャナが上向きとなる場合、または下向きとなる場合がある。アレイが移送路の下に位置決めされている場合は、原稿シートの下側がアレイによってスキャンされるが、この場合原稿シートを下向きに入れなくてはならず、スキャナは下向きにスキャンを行う。アレイが移送路の上に位置決めされている場合は、スキャナは原稿シートの上向面をスキャンするが、この場合原稿シートを上向きに入れなくてはならず、スキャナは上向きにスキャンを行う。上向きスキャナの利点は、操作者が、シートを差し込む際に原稿シート上の像を見ることができ、原稿がミスプリントであるか否か、原稿に欠けがあるか否か（番号付原稿シートの場合）、また原稿がフォルダに正しく出力されるように正しい配向を有しているか否かを確認することができるということである。上向きスキャナの欠点は、原稿一式も原稿送達トレイに上向きに送達されるということである。操作者が最初の原稿から開始すると、原稿一式は原稿送達トレイに誤った順番で送達されることになる。したがって多くの操作者は、原稿一式を逆さまにして開始し、原稿シートをひっくり返しながらこれをスキャナに配置してゆく。
【発明の開示】
【発明が解決しようとする課題】
【０００５】
スキャンされる原稿一式の一般的な量は、５０から２００枚の原稿である。こうしたフォーマットについては、自動ドキュメントフィーダが存在しない。さらに、大型フォーマットの原稿シートは、こうした原稿が操作者にとって取り扱い易いものではないという意味で、これら特有の問題をもたらしている。たいていの場合、スキャン装置の傍の台の上に、スキャンされる積み重ねられた原稿シートが用意されている。この一式をスキャンする間、操作者は原稿シートを台から１枚ずつ取り続けなければならない。これは、台に向かって行ったり来たり歩くか操作者の体を前後に回すということである。その上、スキャナには、引き込みと感光性アレイに沿ったさらなる移送のために、引き出すものを入力口に対して正しく位置決めしなくてはならない。これは、斜行を防止するために精確に行わなくてはならない。折り畳まれていない、Ａ０もの大きさのシートが支持体なしで両手にある状態では、これは厄介な作業である。
【課題を解決するための手段】
【０００６】
大型フォーマットの原稿を手でスキャンするためのより良い支持体を操作者に提供するために、移送式スキャンシステムにおいて、本プリアンブルによるホルダーは、ホルダー上の原稿シートの前縁部がスキャンシステムの差込口と平行でこの直近にあるように、また操作者に直接アクセス可能であるように位置決めされる。
【０００７】
原稿の積み重なりまたは一式が原稿シートホルダーに配置された後は、操作者はこの一式の上方シートを取り、これを簡単な動きによって差込口に対して位置決めし、その後、少し遅れて、原稿シートが差込口によって引き込められてゆく。もはや操作者が、スキャンのためにその都度体を前後に回して原稿シートを取る必要はない。原稿シートホルダーは、操作者により人間工学的な作業場を提供する。
【０００８】
さらに、原稿シートを差込口に対して位置決めする間も、原稿シートはホルダーによってなお支持される。したがって、シート全体が制御なくだらりと垂れ下がっているわけではなく、シートの重みが、入力口との位置合わせに必要な微妙な手の位置決め動作に対して引っ張りを掛けないことから、シートの精確な位置決めがより容易になる。
【０００９】
一実施形態によると、原稿シートホルダーは、スキャナの差込口の下に位置決めされる。スキャナが下向きタイプである場合は、このような実施形態は上向きタイプのスキャナと下向きタイプのスキャナの両方の利点を併せ持つことになる。
【００１０】
原稿シートが、原稿シート差込部の上または下に位置決めされ、実質的にスキャン装置の設置面積内であれば、この装置の設置面積は小さなままである。
【００１１】
本発明のこれらおよびさらなる態様と利点を、好ましい実施形態の開示を参照して、特に添付図面を参照して以下により詳しく論じる。
【発明を実施するための最良の形態】
【００１２】
図１は、第１の実施形態による移送式スキャンシステム１の概略断面図を示している。スキャンシステム１は、感光性アレイ２と、原稿シートを矢印Ａで示す移送方向に移送する２対の移送ローラ３および４であって、対３の方が入力口を形成している移送ローラ３および４と、光源５と、原稿シートを感光性アレイに沿って案内するプラテン６と、シートを感知するシートセンサ７と、２つのスタンドとを備える。スタンドは一方の８しかこの図には示していない。
【００１３】
作動中、シートが操作者によって差込口に対して位置決めされると、シートセンサはＯＮ状態に切り替わり、少し遅れてローラ対３が、シートが少しの距離だけ引っ張られるように１回転の一部分だけ回る。これによって効果的に操作者の手が自由にされる。次いで、必要に応じて様々な設定をなお行うこともできる。始動ボタンを活動化すると、原稿シートがプラテンおよび感光性アレイに沿って移送され、移送ローラの対４によってさらに移送され、原稿送達トレイ９に送達される。次のドキュメントが特定時間間隔内に差込口に対して位置決めされる場合、始動ボタンを再度活動化する必要はない。原稿シートは自動的に引き込められてスキャンされる。このようにして、原稿シート一式全てのスキャンが達成される。
【００１４】
本発明のこの第１実施形態では、支持手段は、矢印Ｂで示している水平面で滑動可能な引出部１０として実施されている。この引出部は前向きに移動されて、引出部上でコピーまたはスキャンされる原稿一式１１を操作者が配置できるようにする。これを図２に示している。この図で示しているスキャナの構成は、下向きスキャン装置である。この場合、一式を上向きに配置することが有利である。引出部は、原稿シートの前縁部が入力口の実質的に直近となるように、後ろ向きに移動される。操作者は原稿シート一式の上方の１シートを取る。次に各原稿の像および配向が、操作者に見えるようになる。操作者はシートを曲げて、その前縁部をスキャン装置の差込口に対して位置決めする。シートが引き込められ、スキャンされ、送られてゆく。この状況を図３に示している。原稿シートの像の側を参照符号１２で示している。積み重ねられた原稿シートからその都度一番上のシートを取って、一式は正しい順番でスキャンされ、同様に原稿シート送達トレイに正しい順番で送達される。
【００１５】
本実施形態と操作者がこれによって作業できる形とを検討してみると、原稿シートが支持手段で上向きに配置される場合には、スキャン前に像が見え、これを点検することができるということ、また一式が原稿シ送達トレイに正しい順番で送達されることとが明らかになる。原稿一式の順序換えを後で行う必要も、一式を回転させる必要もない。
【００１６】
このことは、本発明による上述の構成は、上向きスキャナの利点と下向きスキャナの利点とを併せ持つことを示している。さらに、本発明による支持手段によって、操作者は簡単な動きで一式の上方シートを取り、これをスキャナに置くことができる。操作者は、もはや体を回さなくてもよい。これは、より人間工学的な作業場を提供するものである。
【００１７】
本発明による原稿シート支持手段は、上向きのスキャナに使用することもできる。しかし、支持手段が第１実施形態のようにスキャナの下に位置決めされる場合、像がスキャンされ、正しい順番で送達されるようにするために原稿一式を下向きにしてシート支持手段に置かなくてはならない。
【００１８】
図４は、原稿シート支持手段の代替的実施形態の概略断面図を示している。本実施形態では、これは、折り畳まれていない原稿シートを受け取るのに適した、傾いた容器１３の形態を取っている。
【００１９】
次の例示的な実施形態では、スキャンシステムは分離した構成要素を備える。
【００２０】
第１の例示的な実施形態では、スダンドがスキャン装置（卓上装置）から分離されている。この場合、本発明による原稿シートホルダーは、枠または箱に入った引出部の形態を取る第３の分離された構成要素となる。これは少なくとも前側で開いて、スタンドに載っており、この上にスキャン装置が配置される。
【００２１】
さらなる例示的な実施形態では、原稿シートホルダーは可動台として提供される。これを図５で示している。本発明によれば、台１４は、台をスキャナに対して精確に位置決めするための、スキャナ側の相手部品１５と協働する案内部およびスナップ機構が設けられている。台の面の高さは調整可能であることが好ましい。
【００２２】
本発明の上述の開示が提示する本発明の好ましい実施形態は、当業者がこれに対して多くの修正形態および変形形態を認識するものである。その結果、本発明の範囲は、添付の請求項によってのみ限定されると考えるべきである。
【図面の簡単な説明】
【００２３】
【図１】第１の実施形態による移送式スキャナの概略断面図である。
【図２】外側位置の引出部を備えた第１の実施形態による移送式スキャナの概略断面図である。
【図３】スキャンするための原稿一式を備えた第１の実施形態による移送式スキャナの概略断面図である。
【図４】第２の実施形態による移送スキャナの概略断面図である。
【図５】第３の実施形態による移送スキャナの概略断面図である。
【符号の説明】
【００２４】
１  移送式スキャンシステム
２  感光性アレイ
３、４  ローラ対
５  光源
６  プラテン
７  シートセンサ
８  スタンド
９  送達トレイ
１０  引出部
１１  原稿シート一式
１２  原稿シートの像の側
１３  容器
１４  台
【図１】
2008236746.tif 000003
【図２】
2008236746.tif 000004
【図３】
2008236746.tif 000005
【図４】
2008236746.tif 000006
【図５】
2008236746.tif 000007
【外国語明細書】
2008236746.tif 000008
2008236746.tif 000009
2008236746.tif 000010
2008236746.tif 000011
2008236746.tif 000012
2008236746.tif 000013
2008236746.tif 000014
2008236746.tif 000015
2008236746.tif 000016
2008236746.tif 000017
2008236746.tif 000018
2008236746.tif 000019
2008236746.tif 000020